(57)【要約】【課題】  電話装置の操作性を損なうことなく、緊急時の通報を行うことができ、かつ、既存の電話装置を流用することができるアダプタ装置を提供する。【解決手段】  電話アダプタ１０に、特定の発番号から着信があると、当該着信に応答し拡声受話状態にする応答手段Ｆ５０と、拡声受話状態で特定ＰＢダイヤルを受信するか、ＰＢダイヤルが一定時間検出できない場合は、電話装置３０を第１の周期で呼び出す呼出手段Ｆ５１と、電話装置３０の応答を検出すると、回線と電話装置３０を通話状態にする通話手段Ｆ５２とを備えた。【選択図】  図２
2008236576.tif 000002
【特許請求の範囲】
【請求項１】
電話回線と電話装置の間に挿入される電話アダプタにおいて、
前記電話回線より着信があったときに発番号を検出し、当該発番号が特定の発番号であるか否かを解析し、特定の発番号であると判断した場合は、当該着信に応答し拡声受話状態にする応答手段と、
前記拡声受話状態において前記電話回線から到来する信号を監視し、信号を検出した場合は、当該信号が特定番号であるか否かを解析し、第１の特定番号であると判断した場合、または、前記信号が一定時間検出できない場合は、前記電話装置を第１の周期で呼び出す呼出手段と、
前記第１の周期で呼出中の前記電話装置の応答を監視し、応答を検出した場合は、前記電話回線と前記電話装置を通話状態にする通話手段とを備えたことを特徴とする電話アダプタ。
【請求項２】
請求項１記載の電話アダプタにおいて、
前記発番号が特定の発番号ではないと判断した場合は、前記電話装置を第２の周期で呼び出す手段を備えたことを特徴とする電話アダプタ。
【請求項３】
請求項１または２記載の電話アダプタにおいて、
前記当該信号が特定番号であるか否かを解析し、第２の特定番号であると判断した場合は、前記拡声受話状態の音量を大きくする音量調節手段を備えたことを特徴とする電話アダプタ。
【請求項４】
請求項１ないし３記載の電話アダプタにおいて、
前記電話回線よりメッセージ信号が到来していることを検出すると、前記電話装置にメッセージ信号を送出する送出手段を備えたことを特徴とする電話アダプタ。
【請求項５】
請求項１ないし４記載の電話アダプタにおいて、
当該電話アダプタへの電源供給が停止した場合は、前記電話回線と前記電話装置とを直結する停電切替手段を備えたことを特徴とする電話アダプタ。
【請求項６】
請求項１ないし５記載の電話アダプタにおいて、
前記応答手段により拡声受話状態になったことを表示器に表示する表示制御手段を備えたことを特徴とする電話アダプタ。
【発明の詳細な説明】
【技術分野】
【０００１】
本発明は、電話回線と電話装置の間に挿入される電話アダプタに関し、特に電話回線から到来する音声を拡声受話（音声呼出機能ともいう。）することができる電話アダプタに関するものである。
【背景技術】
【０００２】
ホテル等の個室において第三者が利用する電話装置は、誰でもが容易に取り扱いができるようにする目的で単純な機能（発信、着信応答）を備えた、いわゆる単独電話機が設置される。ただし、緊急時等にホテルのフロント等から単独電話機を呼び出した場合、当該第三者が入浴中などで応答できない場合には、用件を伝えることができないという問題があった。
【０００３】
その解決手段として、単独電話機にＬＥＤ表示器等の可視表示部を備え、メッセージがある旨の表示をしておき、当該第三者が電話装置を操作できるようになったらメッセージを聞くという運用をしている。
【０００４】
一方、電話機が応答しない場合の対応としては、電話機への着信時に発信者の電話番号（発番号ともいう。）を検出し、特定の発番号から着信した場合には、いわゆる留守番機能を備えた電話装置により用件を録音できるものがある（例えば、特許文献１参照）。
【０００５】
しかし、これらの留守番機能付電話装置は、録音されている用件の「再生」や「消去」等の操作が必要になるため、第三者が利用するホテル等の個室では、上述した理由により設置されることは少ない。
【０００６】
また、単なる伝言であれば、メッセージがある旨の表示をしておけば良いが、例えば、地震警報が発令された場合には、即時に用件を伝える必要がある。なお、火災発生時は火災警報報知システムの設置が必須となっており、火災ベル等を鳴らすことで通報することが一般的となっている。
【特許文献１】特開平８−２１４０５６号公報
【発明の開示】
【発明が解決しようとする課題】
【０００７】
解決しようとする課題は、ホテル等の個室において第三者が利用する電話装置の操作性を損なうことなく、緊急時の通報を行うことができ、かつ、既存の電話装置を流用することができるアダプタ装置を提供することである。
【課題を解決するための手段】
【０００８】
上記課題を解決するために、本発明は、電話回線と電話装置の間に挿入される電話アダプタにおいて、前記電話回線より着信があったときに発番号を検出し、当該発番号が特定の発番号であるか否かを解析し、特定の発番号であると判断した場合は、当該着信に応答し拡声受話状態にする応答手段と、前記拡声受話状態において前記電話回線から到来する信号を監視し、信号を検出した場合は、当該信号が特定番号であるか否かを解析し、第１の特定番号であると判断した場合、または、前記信号が一定時間検出できない場合は、前記電話装置を第１の周期で呼び出す呼出手段と、前記第１の周期で呼出中の前記電話装置の応答を監視し、応答を検出した場合は、前記電話回線と前記電話装置を通話状態にする通話手段とを備えた。
【０００９】
また、本発明は、前記発番号が特定の発番号ではないと判断した場合は、前記電話装置を第２の周期で呼び出す手段を備えた。
【００１０】
また、本発明は、前記当該信号が特定番号であるか否かを解析し、第２の特定番号であると判断した場合は、前記拡声受話状態の音量を大きくする音量調節手段を備えた。
【００１１】
また、本発明は、前記電話回線よりメッセージ信号が到来していることを検出すると、前記電話装置にメッセージ信号を送出する送出手段を備えた。
【００１２】
また、本発明は、当該電話アダプタへの電源供給が停止した場合は、前記電話回線と前記電話装置とを直結する停電切替手段を備えた。
【００１３】
そして、本発明は、前記応答手段により拡声受話状態になったことを表示器に表示する表示制御手段を備えた。
【発明の効果】
【００１４】
本発明によれば、ホテル等の個室において第三者が利用する電話装置の操作性を損なうことなく、緊急時に拡声受話（音声呼出）により通報を行うことができ、さらに、通常の着信とは異なる周期の呼出や表示をすることにより注意を喚起することができる。また、特定の発番号以外からの着信は一般的な周期の呼出を行い、メッセージ信号の中継や停電時の直結機能を備えることにより、通常の電話装置としての利用形態に影響を与えることなく運用することができる。
【発明を実施するための最良の形態】
【００１５】
以下、本発明の実施形態の一例について説明する。なお、以下の実施形態では、電話回線として構内交換装置の内線（２線式アナログ電話回線であり、以下、回線ともいう。）、電話装置として単独電話機を例にあげて説明する。しかし、本発明はこれに限定されない。電話回線とは、構内交換装置の内線、一般公衆回線、ＩＰ電話事業者の回線、専用線、私設線、または、携帯電話等の無線使用回線（無線／有線変換アダプタを使用するものを含む）等をいい、電話装置とは、単独電話機、ボタン電話装置、または、ゲートウェイ装置を備えたＩＰ電話システム等をいう。
【００１６】
図１は、本発明に係る電話アダプタ１０の構成概略図である。図２は、本発明に係る電話アダプタ１０の制御部２４の機能ブロック図である。図３は、本発明に係る電話アダプタ２０（アダプタともいう。）と回線、および、単独電話機３０との間の概略シーケンス図である。
【００１７】
まず、図１を用いて本発明に係る電話アダプタ１０の構成の概要を説明する。電話アダプタ１０は、着信検出部１１と、メッセージ信号検出部１２と、ループ生成部１３と、発番号検出部１４と、ＰＢ信号検出部１５と、拡声部１６と、スピーカ部１７と、停電切替部１８と、呼出信号発生部１９と、メッセージ信号発生部２０と、オフフック検出部２１と、ループ検出部２２と、表示出力部２３と、制御部２４を有して構成される。
【００１８】
着信検出部１１は、回線に接続され、回線の極性、および、回線からの呼出信号（いわゆる１６Ｈｚ信号であり、情報受信端末起動信号（ＣＡＲ）を含む。）を検出する回路である。
【００１９】
メッセージ信号検出部１２は、回線からのメッセージ信号である直流電圧（通常は、約７５Ｖ程度であり、回線の線間電圧である４８Ｖより高い電圧を使用している。）を検出する回路である。
【００２０】
ループ生成部１３は、回線への応答（一次応答、二次応答）を返すため、直流ループを生成する回路である。
【００２１】
発番号検出部１４は、回線への一次応答後に送出されるＭＯＤＥＭ信号を受信する回路である。
【００２２】
ＰＢ信号検出部１５は、回線への二次応答後に送出されるＤＴＭＦ信号（ＰＢ信号ともいう。）を受信する回路である。
【００２３】
拡声部１６は、回線への二次応答後に回線上の音声信号を増幅して、スピーカ部１７を駆動させる増幅器であり、音量調整機能を有する。
【００２４】
スピーカ部１７は、増幅された音声信号を電気から音響に変換する。
【００２５】
停電切替部１８は、リレー（ＰＦリレー）で構成され、接点のコモン側は、単独電話機３０へ接続され、接点のメーク側は、呼出信号発生部１９等へ接続され、接点のブレイク側は、ループ検出部２２を経由して回線へ接続される。電話アダプタ１０へ電源が供給されている場合は、ＰＦリレーは動作状態にあり、メーク接点側が閉じている。電源供給が停止した場合、または、単独電話機３０が回線を使用している場合は、ＰＦリレーは不動作状態にあり、ブレイク接点側が閉じている。
【００２６】
呼出信号発生部１９は、単独電話機３０へ呼出信号（いわゆる１６Ｈｚ信号）を送出する回路である。
【００２７】
メッセージ信号発生部２０は、単独電話機３０へメッセージ信号である直流電圧を送出する回路である。
【００２８】
オフフック検出部２１は、単独電話機３０の直流ループ生成を検出する回路である。
【００２９】
ループ検出部２２は、単独電話機が直流ループを開いたことを検出する回路である。
【００３０】
表示出力部２３は、可視表示情報を、表示器４０に合わせた信号方式に変換して制御する回路である。
【００３１】
制御部２４は、いわゆるＭＰＵであり、各部からの入力に対する解析や判断、各部の制御を行う。
【００３２】
なお、単独電話機３０は、一般のホテル用単独電話機であり、表示器４０は、いわゆるパトライトのような可視表示器である。なお、表示器４０をＬＣＤ表示器等の可視表示器にしても良い。
【００３３】
次に、図２を用いて、電話アダプタ１０の制御部２４の機能ブロックを説明する。制御部２４は、少なくとも、応答手段Ｆ５０と、呼出手段Ｆ５１と、通話手段Ｆ５２と、音量調整手段Ｆ５３と、送出手段Ｆ５４と、表示制御手段Ｆ５５を有して構成される。
【００３４】
応答手段Ｆ５０は、着信検出部１１を監視し、回線の極性反転を検出し、情報受信端末起動信号（ＣＡＲ）を検出すると、一次応答信号を送出するため、ループ生成部１３へ直流ループ生成を指示する機能を有している。その後、発番号検出部１４を監視し、発番号等の情報を検出すると、当該情報を一次記憶すると共に、当該情報の受信完了信号を送出するため、ループ生成部１３へ直流ループ断を指示する機能を有している。
【００３５】
その後、応答手段Ｆ５０は、再び着信検出部１１を監視し、呼出信号を検出すると、予め設定されている特定発番号（例えば、ホテル等のフロントに設置された緊急通報端末の電話番号をいう。）と、前記一次記憶した発番号が一致するか否かを判定する。判定結果が一致しない場合は、通話手段Ｆ５２へ停電切替部１８（ＰＦリレー）の復旧を通知する。この結果、回線に到来している呼出信号を第２の周期による呼出信号（以下、第２の呼出信号ともいう。）として単独電話機３０へ送出することができる。なお、本実施形態は２線式アナログ電話回線を例にあげて説明しているため、回線に到来している呼出信号を第２の呼出信号として単独電話機３０へ送出することができるが、例えば、ＩＳＤＮ回線に接続された場合は、電話アダプタ１０内で第２の呼出信号を生成する必要がある。
【００３６】
また、応答手段Ｆ５０は、前記判定結果が一致した場合は、二次応答信号を送出するため、ループ生成部１３へ直流ループ生成を指示すると共に、拡声部１６へ動作を指示し、表示制御手段Ｆ５５へ拡声受話中を表示する旨を通知する機能を有している。
【００３７】
また、応答手段Ｆ５０は、通話手段Ｆ５２より単独電話機３０が応答した旨の通知を受けると、ループ生成部１３へ直流ループ断を指示すると共に、拡声部１６へ動作停止を指示し、表示制御手段Ｆ５５へ表示停止の旨を通知する機能を有している。
【００３８】
呼出手段Ｆ５１は、ＰＢ信号検出部１５を監視し、ＰＢ信号を検出すると、当該ＰＢ信号を分析し、予め設定されている第１の特定番号（例えば、ダイヤル“９”だが、他の番号でも良いし、桁数についても任意に変更しても良い。）と一致するか否かを判定する。判定結果が一致した場合は、呼出信号発生部１９へ第１の周期による呼出信号（以下、第１の呼出信号ともいう。）の送出を指示する機能を有している。
【００３９】
なお、第１の呼出信号とは、回線に到来している第２の呼出信号（ＩＲ（１秒接、２秒断）、または、ＳＩＲ（０．２５秒接、０．２５秒断、０．２５秒接、２．２５秒断））とは異なる周期の呼出信号であり、例えば、０．５秒接、０．５秒断の呼出信号であるが、連続呼出信号としても良いし、他の周期の呼出信号としても良い。
【００４０】
また、呼出手段Ｆ５１は、前記ＰＢ信号を一定時間（例えば、１０秒であるが、時間は任意に変更しても良い。）検出できなかった場合に、呼出信号発生部１９へ第１の呼出信号の送出を指示する機能を有している。
【００４１】
さらに、呼出手段Ｆ５１は、第１の呼出信号の送出を指示した旨を、送出手段Ｆ５４へ通知する機能を有している。
【００４２】
通話手段Ｆ５２は、オフフック検出部２１を監視し、単独電話機３０のオフフック（応答）を検出すると、停電切替部１８（ＰＦリレー）の復旧を指示する機能を有している。なお、応答手段Ｆ５０より停電切替部１８（ＰＦリレー）の復旧を通知された場合も、停電切替部１８（ＰＦリレー）の復旧を指示する機能を有している。そして、通話手段Ｆ５２は、応答手段Ｆ５０へ単独電話機３０が応答した旨を通知する機能を有している。
【００４３】
また、通話手段Ｆ５２は、ループ検出部２２を監視し、ループ断（ループ開放の状態が約５００ミリ秒以上継続することを意味する。）を検出すると、停電切替部１８（ＰＦリレー）の動作を指示すると共に、送出手段Ｆ５４へ通話が終了した旨を通知する機能を有している。
【００４４】
さらに、通話手段Ｆ５２は、電話アダプタ１０へ電源投入された場合、最初に停電切替部１８（ＰＦリレー）が動作せず復旧状態を継続する指示を出すと共に、ループ検出部２２を監視し、ループ断を検出すると、停電切替部１８（ＰＦリレー）の動作を指示する機能を有している。これは、電話アダプタ１０が停電状態に単独電話機３０が回線を使用中の場合、当該通話を切断することを防止するための機能である。
【００４５】
音量調整手段Ｆ５３は、ＰＢ信号検出部１５を監視し、ＰＢ信号を検出すると、当該ＰＢ信号を分析し、予め設定されている第２の特定番号（例えば、ダイヤル“１”だが、他の番号でも良いし、桁数についても任意に変更して良い。）と一致するか否かを判定する。判定結果が一致した場合は、拡声部１６へ音量増加を指示する機能を有している。なお、予め設定されている第３の特定番号（例えば、ダイヤル“２”だが、他の番号でも良いし、桁数についても任意に変更して良い。）と一致するか否かを判定し、判定結果が一致した場合は、拡声部１６へ音量低下を指示する機能も有している。
【００４６】
送出手段Ｆ５４は、メッセージ信号検出部１２を監視し、回線からのメッセージ信号の到来を検出すると、メッセージ信号発生部２０へメッセージ信号の送出を指示する機能を有している。また、送出手段Ｆ５４は、呼出手段Ｆ５１より、第１の呼出信号の送出を指示した旨の通知を受けると、メッセージ信号発生部２０へメッセージ信号の停止を指示する機能を有している。さらに、送出手段Ｆ５４は、通話手段Ｆ５２より、通話が終了した旨の通知を受けると、メッセージ信号検出部１２の監視を再開する機能を有している。
【００４７】
表示制御手段Ｆ５５は、応答手段Ｆ５３より拡声受話中を表示する旨の通知を受けると、表示出力部２３へ表示器４０の表示を指示する機能を有している。
【００４８】
表示器４０は、いわゆるパトライトのような可視表示器であるため、表示出力部２３は、単にオン情報を送出するが、表示器４０がＬＣＤ表示器等であった場合には、表示出力部２３は、ＬＣＤ表示器等が表示できる信号方式に変換して制御する。
【００４９】
また、表示制御手段Ｆ５５は、応答手段Ｆ５０より、表示停止する旨の通知を受けると、表示出力部２３へ表示器４０の表示停止を指示する機能を有している。
【００５０】
次に、図３を用いて、本発明に係る電話アダプタ１０（アダプタともいう。）と、回線、および、単独電話機３０との間の概略シーケンスを説明する。
【００５１】
図３は、２線式アナログ電話回線における発番号通知の処理である、（１）極性反転、（２）情報受信端末起動信号（ＣＡＲ）、（３）一次応答信号（直流ループ）、（４）ＭＯＤＥＭ信号、（５）受信完了信号（直流ループ断）、までが終了し、回線から呼出信号が到来したところから記述している。
【００５２】
まず、回線より着信（呼出信号）が送出される（Ｓ６０）。アダプタでは、予め設定されている特定発番号と、一次記憶した発番号が一致するかを判定する（Ｓ６１）。判定した結果、一致しなかった場合は、第２の呼出信号を単独電話機へ送出する（Ｓ６２）。この場合において、図示されていないが、単独電話機が応答した場合は、回線との間で通話中に移行する。
【００５３】
ステップＳ６１で一致した場合（Ｙｅｓ側）は、音声呼出状態（拡声受話状態）へ移行する（Ｓ６３）。回線側に対して、応答（二次応答信号）を返し（Ｓ６４）、それに対し、回線側では発呼者との通話パスを接続し、音声呼出（拡声受話）となる（Ｓ６５）。
【００５４】
次に、図示していないが、回線側からＰＢダイヤルが送出されるか否かを監視し、ＰＢダイヤルの送出が一定時間なかった場合は（Ｓ６６のＹｅｓ側）、単独電話機へ第１の呼出信号を送出する（Ｓ６７）。なお、ステップＳ６６と、Ｓ６９の記載順序は、表現上の違いのみであり、一連の処理となっている。
【００５５】
ＰＢダイヤルの送出があった場合（Ｓ６８）、特定のダイヤル（予め設定されている第１の特定番号）か否かを判定する（Ｓ６９）。特定のダイヤルの場合は（Ｓ６９のＹｅｓ側）、単独電話機へ第１の呼出信号を送出する（Ｓ７０）。
【００５６】
次に、単独電話機が応答した場合は（Ｓ７１）、アダプタは、回線と単独電話機を接続し、通話中に移行させる（Ｓ７２）。
【図面の簡単な説明】
【００５７】
【図１】本発明に係る電話アダプタ１０の構成概略図
【図２】本発明に係る電話アダプタ１０の制御部２４の機能ブロック図
【図３】本発明に係る電話アダプタ２０（アダプタともいう。）と回線、および、単独電話機３０との間の概略シーケンス図
【符号の説明】
【００５８】
１０    電話アダプタ
１１    着信検出部
１２    メッセージ信号検出部
１３    ループ生成部
１４    発番号検出部
１５    ＰＢ信号検出部
１６    拡声部
１７    スピーカ部
１８    停電切替部
１９    呼出信号発生部
２０    メッセージ信号発生部
２１    オフフック検出部
２２    ループ検出部
２３    表示出力部
２４    制御部
３０    単独電話機
４０    表示器
Ｆ５０    応答手段
Ｆ５１    呼出手段
Ｆ５２    通話手段
Ｆ５３    音量調節手段
Ｆ５４    送出手段
Ｆ５５    表示制御手段
【図１】
2008236576.tif 000003
【図２】
2008236576.tif 000004
【図３】
2008236576.tif 000005